(57)【要約】  データ伝送装置（１）は、異なる受信能力を持つ複数のデータレシーバ（２１ａ〜２１ｃ）を保持し、各データレシーバ（２１ａ〜２１ｃ）を用いてデータを受信し、各データレシーバ（２１ａ〜２１ｃ）から出力される出力信号が同一の出力信号であるかを比較する。そして、データ伝送装置（１）は、各データレシーバ（２１ａ〜２１ｃ）から出力信号が同一の出力信号でない場合には、アラーム信号を生成し、アラーム信号が生成された場合には、位相を調整する再トレーニングを実行する。
2010067448.tif 000002
【特許請求の範囲】
【請求項１】
第１の信号を受信して第２の信号を出力する第１の受信回路と、
前記第１の受信回路とは異なる受信能力を備えるとともに、前記第１の信号を受信して第３の信号を出力する第２の受信回路と、
前記第１の受信回路が出力する第２の信号と前記第２の受信回路が出力する第３の信号を比較する比較回路を有することを特徴とする受信装置。
【請求項２】
前記データ受信装置はさらに、
前記比較回路による比較の結果、前記第１の受信回路が出力する第２の信号と前記第２の受信回路が出力する第３の信号が同一ではない場合には、警告信号を生成する警告信号生成回路と、
前記警告信号生成回路が前記警告信号を生成した場合には、前記第１及び第２の受信回路の位相を調整する受信信号位相制御部を有することを特徴とする請求項１記載の受信装置。
【請求項３】
前記第１の受信回路は、所定の閾値電圧で駆動される受信回路であり、
前記第２の受信回路は、前記所定の閾値電圧よりも高い閾値電圧で駆動される受信回路であることを特徴とする請求項１又は２記載の受信装置。
【請求項４】
前記第１の受信回路は、所定の閾値電圧で駆動される受信回路であり、
前記第２の受信回路は、前記所定の閾値電圧よりも低い閾値電圧で駆動される受信回路であることを特徴とする請求項１又は２記載の受信装置。
【請求項５】
前記第１の受信回路は、所定の閾値電圧で駆動される受信回路であり、
前記第２の受信回路は、前記所定の閾値電圧よりも高い閾値電圧で駆動される受信回路又は前記所定の閾値電圧よりも低い閾値電圧で駆動される受信回路が選択されて、前記第１の信号を受信して前記第３の信号を出力する特徴とする請求項１又は２記載の受信装置。
【請求項６】
第１の信号を送信する送信装置と、伝送路を介して前記第１の信号を受信する受信装置を有する伝送装置において、
前記送信装置は、
前記第１の信号を送信する送信回路を有し、
前記受信装置は、
前記第１の信号を受信して第２の信号を出力する第１の受信回路と、
前記第１の受信回路とは異なる受信能力を備えるとともに、前記第１の信号を受信して第３の信号を出力する第２の受信回路と、
前記第１の受信回路が出力する第２の信号と前記第２の受信回路が出力する第３の信号を比較する比較回路を有することを特徴とする伝送装置。
【請求項７】
前記伝送装置において、前記受信装置はさらに、
前記比較回路による比較の結果、前記第１の受信回路が出力する第２の信号と前記第２の受信回路が出力する第３の信号が同一ではない場合には、警告信号を生成する警告信号生成回路と、
前記警告信号生成回路が前記警告信号を生成した場合には、前記第１及び第２の受信回路の位相を調整する受信信号位相制御部を有することを特徴とする請求項６記載の伝送装置。
【請求項８】
前記受信装置において、
前記第１の受信回路は、所定の閾値電圧で駆動される受信回路であり、
前記第２の受信回路は、前記所定の閾値電圧よりも高い閾値電圧で駆動される受信回路であることを特徴とする請求項６又は７記載の伝送装置。
【請求項９】
前記受信装置において、
前記第１の受信回路は、所定の閾値電圧で駆動される受信回路であり、
前記第２の受信回路は、前記所定の閾値電圧よりも低い閾値電圧で駆動される受信回路であることを特徴とする請求項６又は７記載の伝送装置。
【請求項１０】
前記受信装置において、
前記第１の受信回路は、所定の閾値電圧で駆動される受信回路であり、
前記第２の受信回路は、前記所定の閾値電圧よりも高い閾値電圧で駆動される受信回路又は前記所定の閾値電圧よりも低い閾値電圧で駆動される受信回路が選択されて、前記第１の信号を受信して前記第３の信号を出力する特徴とする請求項６又は７記載の伝送装置。
【請求項１１】
第１の信号を送信する送信装置と、伝送路を介して前記第１の信号を受信する受信装置を有する伝送装置の伝送方法において、
前記送信装置が有する送信回路が、前記第１の信号を送信するステップと、
前記受信装置が有する第１の受信回路が、前記第１の信号を受信して第２の信号を出力するステップと、
前記受信装置が有する、前記第１の受信回路とは異なる受信能力を備える第２の受信回路が、前記第１の信号を受信して第３の信号を出力するステップと、
前記受信装置が有する比較回路が、前記第１の受信回路が出力する第２の信号と前記第２の受信回路が出力する第３の信号を比較するステップを有することを特徴とする伝送方法。
【発明の詳細な説明】
【技術分野】
【０００１】
この発明は、データ、そのデータに同期するクロックを電圧信号として出力し、その電圧信号をレシーバで検知する受信装置、伝送装置及び伝送方法に関する。
【背景技術】
【０００２】
近年、データ伝送方式では、あるデータに対して２本の信号線を使って互いに逆位相の信号を流し、これら１対の電圧の振幅の差分がデータとなるように送受信する差動伝送方式が主流である。例えば、図１０に例示するように、差動伝送技術を含む伝送システムでは、ＣＰＵとＮｏｒｔｈ  Ｂｒｉｄｇｅとの間での伝送や、Ｎｏｒｔｈ  Ｂｒｉｄｇｅとクロスバスイッチとの間での伝送など、主としてＬＳＩチップ間の伝送に使用されるものである。【０００３】
このような差動伝送方式では、図１１に示すように、データ送信部に差動信号を送信してデータを出力するデータドライバを持ち、データ受信部に差動信号を受信してデータを取り出すためのデータレシーバを持つ。また、データ受信部には受信したクロック位相をデータに対して適切な位置に調整するための位相調整回路を持つ。【０００４】
従来の伝送システムの全体図を図１１に示す。同図に示すように、従来の方式では、伝送データおよびデータに同期するクロックがデータ送信部のクロックドライバから電圧信号として出力され、データ受信部のクロックレシーバで検知される。クロックレシーバがクロックを受信すると、クロック位相を後述する再トレーニング動作により決定される位相に調整し、これを受信クロックとしてデータレシーバに入力する。データレシーバでは、入力されたクロックの周期で電圧値を０／１データとして取り込み、回路内部に出力する。【０００５】
また、データ送信部およびデータ受信部は、一定の頻度で、データ受信部で受信したクロックのエッジ位置が受信データに対して、例えばセットアップ値及びホールド値の要求を満たすような適切な位置になるように既知のデータパターンを用いて位相を調整する再トレーニング動作を行う。図１２および図１３に再トレーニング動作のフローチャートとタイミングチャートを示す。再トレーニングは、データ送信部およびデータ受信部それぞれの再トレーニング制御部で制御される。【０００６】
再トレーニング制御部は、通常動作中にタイマーで時間を計測し一定時間経過時に再トレーニング指示信号をアサートする。ここで、タイマーは、データ送信部とデータ受信部で同期しており、データ送信部およびデータ受信部が同じタイミングで再トレーニング動作に移行する。再トレーニング時には、データ受信部の位相調整回路でクロック位相を変更してデータ受信を試み、正しくデータパターンを受けられる位置にクロック位相を固定する。【０００７】
データレシーバでのデータ受信の様子を図１４に示す。受信データは、同図上側に示される波形のように、連続して上下する電圧変化として現れる。この電圧変化に対し、同図下側に示す受信クロックが０から１へと変化する点でデータ取り込みが行われ、データが「０」または「１」に確定する。【０００８】
この際、データの０／１を決定する基準値は、データレシーバの閾値電圧（Ｖｒｅｆ）によって決まる。受信した電圧の変化に対して受信クロックの位相が適切に調整されていれば、受信電圧が閾値を通過して十分安定した領域でデータ取り込みが行われ、正しいデータが出力される。【０００９】
データレシーバでデータ受信に失敗する場合の様子を図１５に示す。データ取り込み点が電圧変化の閾値通過点付近に寄っているとデータレシーバはデータ受信に失敗し、誤った値を出力する。【００１０】
【特許文献１】特開２００６−５０１０２号公報
【特許文献２】国際公開第２００４／０８８９１３号パンフレット
【発明の開示】
【発明が解決しようとする課題】
【００１１】
上記した従来の伝送方式では、クロックとデータの位相関係を検出する手段がなく、正しくデータを受信しているかどうかを確認できないという課題があった。また、受信用クロックの位相調整に失敗してデータ取り込み位置が不適切にデータ端に寄っているような場合に、これを検知できないという課題があった。【００１２】
そこで、この発明は、上述した従来技術の課題を解決するためになされたものであり、データ受信回路について、データ取り込み位置がデータ端に接近した場合にこれを検知することを目的とする。
【課題を解決するための手段】
【００１３】
上述した課題を解決し、目的を達成するため、この装置は、異なる受信能力を持つ複数のデータレシーバを保持し、各データレシーバを用いてデータを受信し、各データレシーバから出力される出力信号が同一の出力信号であるかを比較することを特徴とする。
【発明の効果】
【００１４】
開示の装置は、データ受信回路について、データ取り込み位置がデータ端に接近した場合にこれを検知することができるという効果を奏する。
【図面の簡単な説明】
【００１５】
【図１】図１は、実施例１に係るデータ伝送装置の原理を説明するための図である。
【図２】図２は、実施例１に係るデータ伝送装置の構成を示すブロック図である。
【図３】図３は、データ受信動作（正常時）について説明するための図である。
【図４】図４は、データ受信動作（アラーム通知時）について説明するための図である。
【図５】図５は、再トレーニング動作タイミングについて説明するための図である。
【図６】図６は、実施例１に係るデータ伝送装置の再トレーニング処理の手順を説明するためのフローチャートである。
【図７】図７は、実施例１に係るデータ伝送装置の比較処理の手順を説明するためのフローチャートである。
【図８】図８は、実施例２に係るデータ伝送装置の構成を示すブロック図である。
【図９】図９は、閾値電圧切替え動作タイミングについて説明するための図である。
【図１０】図１０は、差動伝送方式が適用される伝送システムの一例を示す図である。
【図１１】図１１は、従来技術を用いたデータ伝送装置の構成を示す図である。
【図１２】図１２は、従来技術の再トレーニング動作を説明するための図である。
【図１３】図１３は、従来技術の再トレーニング動作タイミングを説明するための図である。
【図１４】図１４は、従来技術のデータ受信動作（正常時）を説明するための図である。
【図１５】図１５は、従来技術のデータ受信動作（失敗時）を説明するための図である。
【符号の説明】
【００１６】
１、１ａ  データ伝送装置
１０  データ送信部
１１  データドライバ
１２  クロックドライバ
１３  送信部再トレーニング制御部
２０  データ受信部
２１ａ〜２１ｄ  データレシーバ
２２  比較部
２３  アラーム信号生成部
２４  受信部再トレーニング制御部
２５  位相調整部
２６  クロックレシーバ
２７  データ処理部
２８  閾値電圧選択部
【発明を実施するための最良の形態】
【００１７】
以下に添付図面を参照して、開示の受信装置、伝送装置及び伝送方法の実施例を詳細に説明する。
【実施例１】
【００１８】
以下の実施例では、実施例１に係るデータ伝送装置の原理、データ伝送装置の構成および処理の流れを順に説明し、最後に実施例１による効果を説明する。【００１９】
［実施例１に係るデータ伝送装置の原理］
まず、図１を用いて、実施例１に係るデータ伝送装置の原理を説明する。図１は、実施例１に係るデータ伝送装置の原理を説明するための図である。【００２０】
実施例１のデータ伝送装置１では、伝送データおよびデータに同期するクロックを電圧信号としてデータ受信部２０に出力するデータ送信部１０と、データ送信部１０から送信された伝送データおよびデータに同期するクロックを受信するデータ受信部２０を有することを概要とする。【００２１】
このような構成のもと、データ伝送装置１は、図１に示すように、通常の受信回路として使用するデータレシーバ「１」の他に、通常よりも高い閾値電圧を持つレシーバ「２」、通常よりも低い閾値電圧を持つレシーバ「３」をデータ受信部２０に並列に設け、データレシーバ「１」〜「３」の３個全てによりデータ受信してこれらの出力を比較する。【００２２】
そして、データ伝送装置１は、３個のデータレシーバが同じ値を出力する場合には、十分位相に余裕があると判断し通常動作を続ける。一方、データ伝送装置１は、閾値電圧の高いもの、または、閾値電圧の低いもののどちらかが他の２つと異なる値を返した場合には、クロックエッジ−データエッジ間の位相差が少ないと判断して、警告を発するアラーム信号を通知する。【００２３】
具体的には、データ伝送装置１は、各データレシーバが出力する値を比較部２２が比較し、データレシーバ２１ａ〜２１ｃから受信した出力信号を比較し、全ての出力信号が０または１であるか判定する。その結果、データ伝送装置１の比較部２２は、３個のレシーバの出力信号が全て「０」または全て「１」のいずれかでない場合に、警告に係るアラーム信号が「１」となる。【００２４】
このように、データ伝送装置１は、受信データのエッジとクロックのエッジが接近した場合に、これを検出することができ、データ受信に失敗する前に動作停止してデータ化けを防ぐことが可能である。また、位相調整を再実行して適切な受信状態をするなどの制御ができ、データ伝送時の信頼性が向上する。【００２５】
［データ伝送装置の構成］
次に、図２〜図６を用いて、図１に示したデータ伝送装置１の構成を説明する。図２は、実施例１に係るデータ伝送装置１の構成を示すブロック図である。図３は、データ受信動作（正常時）について説明するための図である。図４は、データ受信動作（アラーム通知時）について説明するための図である。図５は、再トレーニング動作タイミングについて説明するための図である。図６は、実施例１に係るデータ伝送装置の再トレーニング処理の手順を説明するためのフローチャートである。【００２６】
同図に示すように、このデータ伝送装置１は、データ送信部１０およびデータ受信部２０を有し、信号線を介してデータ送信部１０とデータ受信部２０とが接続される。以下にこれらの各部の処理を説明する。【００２７】
データ送信部１０は、伝送データおよびデータに同期するクロックを電圧信号としてデータ受信部２０に出力するが、特に、データドライバ１１、クロックドライバ１２および送信部再トレーニング制御部１３を有する。【００２８】
データドライバ１１は、送信しようとする伝送データを差動信号に変換し、一対の信号線に出力する。そして、データドライバ１１は、伝送データをデータ受信部２０のデータレシーバ２１ａ〜２１ｃに送信する。【００２９】
クロックドライバ１２は、伝送データに同期するクロック信号を差動信号に変換し、１対の信号線に出力する。そして、クロックドライバ１２は、クロック信号をデータ受信部２０のクロックレシーバ２６に送信する。【００３０】
送信部再トレーニング制御部１３は、一定時間ごとに再トレーニング指示信号を出力し、再トレーニング動作の開始または終了を制御する。【００３１】
データ受信部２０は、データ送信部２０から送信された伝送データおよびデータに同期するクロックを受信するが、特に、データレシーバ２１ａ〜２１ｃ、比較部２２、アラーム信号生成部２３、受信部再トレーニング制御部２４、位相調整部２５、クロックレシーバ２６、データ処理部２７を有する。【００３２】
データレシーバ２１ａ〜２１ｃは、それぞれ異なる受信能力を持つデータレシーバであって、データドライバから送信される伝送データを受信する。具体的には、データレシーバ２１ａ〜２１ｃは、１対の信号線に表れる電圧変化の差分を取り、データとして復元する。この際、データレシーバ２１ａ〜２１ｃには、後述するクロックレシーバ２６によって受信されたクロック信号を位相調整部２５が伝送データに対して適切な位相に調整したクロックと、電圧値を０／１に変換する基準電圧（閾値電圧）とを入力する必要がある。【００３３】
ここで、各データレシーバ２１ａ〜２１ｃの閾値電圧について、それぞれ説明する。データレシーバ２１ａは、データ受信のために適切に調整される閾値電圧（従来技術で入力するものと同様の閾値電圧）Ｖｒｅｆで駆動してデータ受信を行う。また、データレシーバ２１ｂは、データレシーバ２１ａの閾値電圧よりもわずかに高い閾値電圧ＶＨで駆動してデータ受信を行う。また、データレシーバ２１ｃは、データレシーバ２１ａの閾値電圧よりもわずかに低い閾値電圧ＶＬで駆動してデータ受信を行う。【００３４】
ここで、図３および図４を用いて、各データレシーバのデータ受信時の動作について説明する。図３に示すように、各データレシーバ２１ａ〜２１ｃは、正常なデータ受信状態では、どのデータレシーバも閾値電圧を超えて安定した電圧を検知し、同じ値を出力する。この状態では、後述するアラーム信号生成部２３は、「０」を出力する。【００３５】
一方、図４に示すように、各データレシーバ２１ａ〜２１ｃは、クロックがデータ端に寄っている場合には、データレシーバ２１ｂまたは２１ｃが閾値電圧をまたいでデータを取り込むため、他２つのデータレシーバとは異なる値を比較部２２に出力する。この状態では、アラーム信号生成部２３は、「１」を出力し、クロックがデータ端付近にいることを検知できる。【００３６】
その後、各データレシーバ２１ａ〜２１ｃは、データの復元を行った後、復元されたデータを比較部２２に対して入力する。また、データレシーバ２１ａは、復元されたデータをデータ処理部２７に対しても入力する。【００３７】
比較部２２は、各データレシーバから出力される出力信号が同一の出力信号であるかを比較する。具体的には、比較部２２は、データレシーバ２１ａ〜２１ｃから受信した出力信号を比較し、全ての出力信号が０または１であるか判定して、判定結果をアラーム信号生成部２３に通知する。【００３８】
アラーム信号生成部２３は、各データレシーバから出力される出力信号が同一の出力信号でない場合には、警告としてのアラーム信号を生成する。具体的には、アラーム信号生成部２３は、比較部２２から判定結果を受信し、データレシーバ２１ａ〜２１ｃの出力信号が全て０または１であると判定された場合には、送信部再トレーニング制御部２３および受信部再トレーニング制御部２４に「０」を入力する。【００３９】
また、アラーム信号生成部２３は、データレシーバ２１ａ〜２１ｃの出力信号が全て０または１でないと判定された場合には、送信部再トレーニング制御部２３および受信部再トレーニング制御部２４に「１」（つまり、アラーム信号）を入力する。【００４０】
つまり、アラーム信号生成部２３がアラーム信号として「１」を出力すると、データ送信部１０およびデータ受信部２０それぞれの再トレーニング制御部１３、２４は、通常の再トレーニングの周期に関係なく緊急の再トレーニングを即時に実行する。このプロセスによって、データ受信に失敗し回路が誤動作する危険を事前に検知し、対処として再トレーニングを行うことでこれを回避することが可能になる。【００４１】
受信部再トレーニング制御部２４は、一定時間ごとに再トレーニング指示信号を位相調整部２５に出力し、再トレーニング動作の開始または終了を制御する。また、受信部再トレーニング制御部２４は、アラーム信号生成部２３からのアラーム信号を受信した場合にも、緊急の再トレーニングを実行するように制御する。【００４２】
ここで、図５を用いて、アラーム信号による制御を含めた再トレーニング動作のタイミングについて説明する。同図に示すように、データ送信部１０およびデータ受信部２０の再トレーニング制御部１３、２４は、通常時は従来技術と同様にタイマーで時間計測して一定時間ごとに再トレーニングを行うが、アラーム生成部２３からのアラーム信号を受信すると、時間に関係なく再トレーニングを実行する。再トレーニング制御部１３、２４は、トレーニング完了後、タイマーを初期化して一定時間ごとの再トレーニング処理に戻る。【００４３】
位相調整部２５は、受信したクロックのエッジ位置が受信データの中央に合うように、クロック位相を調整する。具体的には、位相調整部２５は、クロックレシーバ２６から出力されたクロックのクロック位相を、セットアップ値及びホールド値の要求を満たすように、クロックのエッジ位置が例えば受信データの中央に合うように調整し、各データレシーバ２１ａ〜２１ｃにそれぞれ入力する。【００４４】
クロックレシーバ２６は、１対の信号線に表れる電圧変化の差分を取り、クロックとして復元する。データ処理部２７は、データレシーバ２１ａの出力を用いて、演算処理やデータを記憶する処理などを行う。【００４５】
［データ伝送装置による処理］
次に、図６および図７を用いて、実施例１に係るデータ伝送装置１による処理を説明する。図６は、実施例１に係るデータ伝送装置の再トレーニング処理の手順を説明するためのフローチャートである。図７は、実施例１に係るデータ伝送装置の比較処理の手順を説明するためのフローチャートである。【００４６】
図６に示すように、データ伝送装置１は、最初にタイマーの値をＭＡＸ値に設定し（ステップＳ１０１）、設定された値からタイマーを１ずつ減算していく（ステップＳ１０２）。そして、データ伝送装置１は、各データレシーバから出力される出力信号が同一の出力信号であるかを比較する比較処理（後に図７を用いて詳述）を行う（ステップＳ１０３）。その後、データ伝送装置１は、比較処理の結果、アラーム信号生成部２３からアラーム信号「１」が出力されると（ステップＳ１０４否定）、時間に関係なく再トレーニングを実行する（ステップＳ１０６）。【００４７】
また、データ伝送装置１は、アラーム信号生成部２３からアラーム信号「０」が出力された場合には（ステップＳ１０４肯定）、タイマーが０であるか判定する（ステップＳ１０５）。その結果、データ伝送装置１は、タイマーが０でない場合には（ステップＳ１０５否定）、Ｓ１０２に戻って、タイマーの値を減算する処理を繰り返す。【００４８】
また、データ伝送装置１は、タイマーが０である場合には（ステップＳ１０５肯定）、一定時間が経過したこととして、再トレーニングを実行する（ステップＳ１０６）。その後、データ伝送装置１は、タイマーの値をＭＡＸ値に戻して（ステップＳ１０７）、Ｓ１０２に戻り上記処理を繰り返す。【００４９】
続いて、図７を用いて、データ伝送装置１の比較処理について説明する。同図に示すように、データ伝送装置１は、各データレシーバ２１ａ〜２１ｃがデータドライバ１１から送信される伝送データを受信すると（ステップＳ２０１）、各データレシーバから出力される出力信号が同一の出力信号であるかを比較する（ステップＳ２０２）。【００５０】
その結果、データ伝送装置１は、各データレシーバから出力される出力信号が同一の出力信号でない場合には（ステップＳ２０３否定）、アラーム信号生成部２３からアラーム信号「１」が出力される（ステップＳ２０４）。また、データ伝送装置１は、各データレシーバから出力される出力信号が同一の出力信号である場合には（ステップＳ２０３肯定）、アラーム信号「１」を出力せずに、処理を終了する。【００５１】
[実施例１の効果]
上述してきたように、データ伝送装置１は、異なる受信能力を持つ複数のデータレシーバ２１ａ〜２１ｃを保持し、各データレシーバ２１ａ〜２１ｃを用いてデータを受信し、各データレシーバ２１ａ〜２１ｃから出力される出力信号が同一の出力信号であるかを比較する。このため、データ受信回路について、データ取り込み位置がデータ端に接近した場合にこれを検知することが可能である。【００５２】
また、実施例１によれば、データ伝送装置１は、各データレシーバ２１ａ〜２１ｃから出力信号が同一の出力信号でない場合には、警告としてのアラーム信号を生成し、アラーム信号が生成された場合には、位相を調整する再トレーニングを実行する。このため、受信データのエッジとクロックのエッジが接近した場合に、位相調整を再実行して適切な受信状態をするなどの制御ができ、データ伝送時の信頼性を向上することが可能である。さらに、検知結果をアラーム信号として制御に使用することで、データ受信失敗による誤動作を未然に防止することが可能となる。【００５３】
異なる受信能力を持つ複数のデータレシーバ２１ａ〜２１ｃとして、所定の閾値電圧で駆動するデータレシーバ２１ａと、所定の閾値電圧よりも高い閾値電圧で駆動するデータレシーバ２１ｂと、所定の閾値電圧よりも低い閾値電圧で駆動するデータレシーバ２１ｃとを用いてデータを受信する。このため、データ受信回路について、データ取り込み位置がデータ端に接近した場合にこれを適切に検知することが可能である。
【実施例２】
【００５４】
ところで、上記の実施例１では、データレシーバの閾値電圧を固定する場合を説明したが、本実施例はこれに限定されるものではなく、データレシーバの閾値電圧を選択的に設定するようにしてもよい。【００５５】
そこで、以下の実施例２では、データレシーバを２つ有し、データレシーバの閾値電圧を選択的に設定する場合として、図８および図９を用いて、実施例２におけるデータ伝送装置１ａの構成および処理について説明する。図８は、実施例２に係るデータ伝送装置の構成を示すブロック図である。図９は、閾値電圧切替え動作タイミングについて説明するための図である。【００５６】
図８に示すように、データ伝送装置１ａでは、データレシーバ２１ｄの閾値電圧を選択して設定する閾値電圧選択部２８を新たに有する。また、データ伝送装置１ａでは、データ受信部２０のデータレシーバを２個とし、データレシーバ２１ａに従来技術相当のデータ受信に適した閾値電圧を設定し、データレシーバ２１ｄにデータレシーバ２１ａよりもわずかに高い閾値電圧またはわずかに低い閾値電圧のいずれかを選択して設定する。【００５７】
また、データ伝送装置１ａでは、データレシーバ２１ａ、２１ｄの後段に設けられた比較部２２が各データレシーバ２１ａ、２１ｄの出力信号を比較し、値が異なる場合には、アラーム信号生成部２３がアラーム信号を出力する。上記以外の点については、実施例１と同等である。【００５８】
データレシーバ２１ｄは、データレシーバ２１ａの閾値電圧よりもわずかに高い閾値電圧ＶＨ、または、わずかに低い閾値電圧ＶＬのいずれかで駆動してデータ受信を行う。閾値電圧選択部２８は、データレシーバ２１ｄに設定する閾値電圧として、閾値電圧ＶＨまたは閾値電圧ＶＬのいずれかを選択する。【００５９】
アラーム信号生成部２３は、実施例１と同様に、各データレシーバから出力される出力信号が同一の出力信号でない場合には、アラーム信号を生成するとともに、実施例２では、データレシーバ２１ｄの閾値電圧切替え時には、誤動作を防ぐためにアラーム信号生成処理をＯＦＦにする処理を行う。【００６０】
ここで、図９を用いて、データレシーバ２１ｄの閾値電圧設定に関する動作タイミングを説明する。同図に例示するように、再トレーニング完了から次回開始までの間、データレシーバ２１ｄは、前半に閾値電圧としてＶＨを、後半にＶＬを選択して動作する。これにより、データレシーバ２１ｄでは、実施例１のデータレシーバ２１ｂ、２１ｃによる検出動作を１つのデータレシーバで巡回して行うことができる。【００６１】
なお、この方式では、どの時点においてもＶＨまたはＶＬどちらか一方でしか検出を行わないため、データの立上り／立下りのいずれかでしかチェックを行っていないことになり、検出性能は低下する。しかし、本来アラーム通知から実際にデータ受信に失敗して誤動作を起こすまでは時間的に余裕があるため、本実施例の手法でも実用には問題ない。【００６２】
このように、実施例２によれば、データ伝送装置１ａは、異なる受信能力を持つ複数のデータレシーバとして、所定の閾値電圧で駆動するデータレシーバ２１ａと、所定の閾値電圧よりも高い閾値電圧または所定の閾値電圧よりも低い閾値電圧のいずれかが選択して設定されるデータレシーバ２１ｄとを用いてデータを受信する。このため、データ伝送装置１ａは、データレシーバを減らすことで、データ受信部の回路素子の物量を削減することが可能である。特に、送受信するデータ線が１本ではなく複数本ある場合には、この削減効果はより大きい。
【実施例３】
【００６３】
さて、これまで本実施例について説明したが、開示の受信装置、伝送装置及び伝送方法は上述した実施例以外にも、種々の異なる形態にて実施されてよいものである。そこで、以下では実施例３として本発明に含まれる他の実施例を説明する。【００６４】
システム構成等
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、比較部２２とアラーム信号生成部２３を統合してもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。【００６５】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【図１】
2010067448.tif 000003
【図２】
2010067448.tif 000004
【図３】
2010067448.tif 000005
【図４】
2010067448.tif 000006
【図５】
2010067448.tif 000007
【図６】
2010067448.tif 000008
【図７】
2010067448.tif 000009
【図８】
2010067448.tif 000010
【図９】
2010067448.tif 000011
【図１０】
2010067448.tif 000012
【図１１】
2010067448.tif 000013
【図１２】
2010067448.tif 000014
【図１３】
2010067448.tif 000015
【図１４】
2010067448.tif 000016
【図１５】
2010067448.tif 000017
【手続補正書】
【提出日】平成23年12月26日(2011.12.26)
【手続補正１】
【補正対象書類名】特許請求の範囲
【補正対象項目名】全文
【補正方法】変更
【補正の内容】
【特許請求の範囲】
【請求項１】
第１の信号を受信し、当該第１の信号が所定の閾値電圧を超えたか否かを示す第２の信号を出力する第１の受信回路と、
前記第１の受信回路と同じタイミングで前記第１の信号を受信し、当該第１の信号が前記所定の閾値電圧とは異なる閾値電圧を超えたか否かを示す第３の信号を出力する第２の受信回路と、
前記第１の受信回路が出力する第２の信号と前記第２の受信回路が出力する第３の信号を比較する比較回路と、
前記比較回路による比較結果に応じて、前記第１及び第２の受信回路とが前記第１の信号を受信するタイミングを調整する調整回路と
を有することを特徴とする受信装置。 
【請求項２】
前記調整回路は、前記比較回路による比較の結果、前記第１の受信回路が出力する第２の信号と前記第２の受信回路が出力する第３の信号が同一ではない場合には、前記第１及び第２の受信回路が前記第１の信号を受信するタイミングを調整することを特徴とする請求項１記載の受信装置。 
【請求項３】
前記第１の受信回路は、所定の閾値電圧で駆動される受信回路であり、
前記第２の受信回路は、前記所定の閾値電圧よりも高い閾値電圧で駆動される受信回路であることを特徴とする請求項１又は２記載の受信装置。 
【請求項４】
前記第１の受信回路は、所定の閾値電圧で駆動される受信回路であり、
前記第２の受信回路は、前記所定の閾値電圧よりも低い閾値電圧で駆動される受信回路であることを特徴とする請求項１又は２記載の受信装置。 
【請求項５】
前記第１の受信回路は、所定の閾値電圧で駆動される受信回路であり、
前記第２の受信回路は、前記所定の閾値電圧よりも高い閾値電圧で駆動される受信回路又は前記所定の閾値電圧よりも低い閾値電圧で駆動される受信回路が選択されて、前記第１の信号を受信して前記第３の信号を出力する特徴とする請求項１又は２記載の受信装置。 
【請求項６】
第１の信号を送信する送信装置と、伝送路を介して前記第１の信号を受信する受信装置を有する伝送装置において、
前記送信装置は、
前記第１の信号を送信する送信回路を有し、
前記受信装置は、
前記第１の信号を受信し、当該第１の信号が所定の閾値電圧を超えたか否かを示す第２の信号を出力する第１の受信回路と、
前記第１の受信回路と同じタイミングで前記第１の信号を受信し、当該第１の信号が前記所定の閾値電圧とは異なる閾値電圧を超えたか否かを示す第３の信号を出力する第２の受信回路と、
前記第１の受信回路が出力する第２の信号と前記第２の受信回路が出力する第３の信号を比較する比較回路と、
前記比較回路による比較結果に応じて、前記第１及び第２の受信回路とが前記第１の信号を受信するタイミングを調整する調整回路とを有することを特徴とする伝送装置。 
【請求項７】
前記伝送装置において、前記調整回路は、前記比較回路による比較の結果、前記第１の受信回路が出力する第２の信号と前記第２の受信回路が出力する第３の信号が同一ではない場合には、前記第１及び第２の受信回路が前記第１の信号を受信するタイミングを調整することを特徴とすることを特徴とする請求項６記載の伝送装置。 
【請求項８】
前記受信装置において、
前記第１の受信回路は、所定の閾値電圧で駆動される受信回路であり、
前記第２の受信回路は、前記所定の閾値電圧よりも高い閾値電圧で駆動される受信回路であることを特徴とする請求項６又は７記載の伝送装置。 
【請求項９】
前記受信装置において、
前記第１の受信回路は、所定の閾値電圧で駆動される受信回路であり、
前記第２の受信回路は、前記所定の閾値電圧よりも低い閾値電圧で駆動される受信回路であることを特徴とする請求項６又は７記載の伝送装置。 
【請求項１０】
前記受信装置において、
前記第１の受信回路は、所定の閾値電圧で駆動される受信回路であり、
前記第２の受信回路は、前記所定の閾値電圧よりも高い閾値電圧で駆動される受信回路又は前記所定の閾値電圧よりも低い閾値電圧で駆動される受信回路が選択されて、前記第１の信号を受信して前記第３の信号を出力する特徴とする請求項６又は７記載の伝送装置。 
【請求項１１】
第１の信号を送信する送信装置と、伝送路を介して前記第１の信号を受信する受信装置を有する伝送装置の伝送方法において、
前記送信装置が有する送信回路が、前記第１の信号を送信するステップと、
前記受信装置が有する第１の受信回路が、前記第１の信号を受信し、当該第１の信号が所定の閾値電圧を超えたか否かを示す第２の信号を出力するステップと、
前記受信装置が有する第２の受信回路が、前記第１の受信回路と同じタイミングで前記第１の信号を受信し、当該第１の信号が前記所定の閾値電圧とは異なる閾値電圧を超えたか否かを示す第３の信号を出力するステップと、
前記受信装置が有する比較回路が、前記第１の受信回路が出力する第２の信号と前記第２の受信回路が出力する第３の信号を比較するステップと、
前記受信装置が有する調整回路が、前記比較回路による比較結果に応じて、前記第１及び第２の受信回路とが前記第１の信号を受信するタイミングを調整する調整ステップを有することを特徴とする伝送方法。
【国際調査報告】
2010067448.tif 000018
2010067448.tif 000019